(57)【要約】      （修正有）【課題】体を洗浄する際に複数の布材をユーザが選択することができるタスキ形タオルを提供する。【解決手段】タスキ形タオル１００は、全体が帯状の第一布材１から構成される。このタスキ形タオル１００は、帯状の第一布材１の端部同士が接続されて全体として環状に形成される。第一布材１は、綿、細い合成繊維等により織った柔かく肌触りの良い布材を用いて構成する。第一布材１の表面には、第一布材１とは異なる素材の第二布材２を設けてある。この第二布材２は、第一布材１に比べて幅の細い帯状体に形成されており、当該第二布材２は第一布材１の表面に対して蛇行ないし波状に縫い付けられる。第二布材２の端縁２ａは、ひだ状に形成され泡立ちが良くなるようにしてある。全体を表裏でひっくり返すことで、肌に対して第一布材１のみ又は第一布材１及び第二布材２が接触することになる。【選択図】図１
0003193419.tif 000002
【実用新案登録請求の範囲】
【請求項１】
帯状に形成された第一布材の端部同士を連結して全体を環状に形成すると共に、第一布材の表面の一部に、当該第一布材とは異なる素材の第二布材を設けたことを特徴とするタスキ形タオル。
【請求項２】
前記第二布材は、第一布材に対して波状に設けられていることを特徴とする請求項１に記載のタスキ形タオル。
【請求項３】
前記第一布材の一部に手を挿入可能な大きさのポケットを設けたことを特徴とする請求項１又は２に記載のタスキ形タオル。
【請求項４】
前記第一布材は、複数重ねて袋状に形成した構成であることを特徴とする請求項１〜３のいずれか一つに記載のタスキ形タオル。
【考案の詳細な説明】
【技術分野】
【０００１】
本考案は、高齢者や障害者が使用しやすい全体がタスキ形状のタスキ形タオルに関するものである。
【背景技術】
【０００２】
従来から特許文献１に記載されているような身体洗浄具が知られている。この身体洗浄具は、帯状の布材の端部同士を半回転捩じって接続し、全体を環状体に形成すると共にユーザがたすき掛けした際に布材の側端を掴みやすくしている。
【先行技術文献】
【特許文献】
【０００３】
【特許文献１】実用新案登録第３１６５９６６号公報
【考案の概要】
【考案が解決しようとする課題】
【０００４】
しかしながら、上記従来の身体洗浄具では、全体が同じ素材で構成されているため、体を洗浄する際に布材の質をユーザが選択することができないという問題点があった。この発明はかかる問題点を解決するためになされたものである。
【課題を解決するための手段】
【０００５】
本考案のタスキ形タオルは、帯状に形成された第一布材の端部同士を連結して全体を環状に形成すると共に、第一布材の表面の一部に、当該第一布材とは異なる素材の第二布材を設けたことを特徴とする。
【０００６】
前記第二布材は、第一布材に対して波状に設けるのが好ましい。更に、前記第一布材の一部に手を挿入可能な大きさのポケットを設けても良い。更に、前記第一布材は、複数重ねて袋状に形成した構成とするのが好ましい。
【図面の簡単な説明】
【０００７】
【図１】この考案の実施の形態１にかかるタスキ形タオルを示す斜視図である。
【図２】図１に示したタスキ形タオルの表面を示す平面図である。
【図３】図１に示したタスキ形タオルの裏面を示す平面図である。
【図４】図１に示したタスキ形タオルの断面図である（図２Ｂ−Ｂ断面）
【図５】図１の第二布材の変形例を示す説明図である。
【図６】このタスキ形タオルの使用方法を示す説明図である。
【図７】このタスキ形タオルの使用方法を示す説明図である。
【図８】このタスキ形タオルの使用方法を示す説明図である。
【図９】この考案の実施の形態２に係るタスキ形タオルを示す一部平面図である
【考案を実施するための形態】
【０００８】
（実施の形態１）
図１は、この考案の実施の形態１にかかるタスキ形タオルを示す斜視図である。図２は、図１に示したタスキ形タオルの表面を示す平面図である。図３は、図１に示したタスキ形タオルの裏面を示す平面図である。図４は、図１に示したタスキ形タオルの断面図である。
【０００９】
このタスキ形タオル１００は、全体が帯状の第一布材から構成される。このタスキ形タオル１００は、帯状の第一布材１の端部同士が接続されて全体として環状に形成される。第一布材１は、綿、細い合成繊維等により織った柔かく肌触りの良い布材を用いて構成する。当該第一布材１としては、ループ織の綿タオル地が好ましい。
【００１０】
また、第一布材１の表面には、図１のＡ部拡大図に示すように、当該第一布材１とは異なる素材の第二布材２を設けてある。この第二布材２は、第一布材１に比べて幅の細い帯状体に形成されており、当該第二布材２は第一布材１の表面に対して蛇行ないし波状に縫い付けられる（縫い付け部３）。このとき、第二布材２の縫い付けは、長手方向の中央付近で行うようにし、第二布材２の端縁２ａが自在に動くようにする。これにより、使用時の肌への接触を柔軟で適度に刺激が与えられるようになる。
【００１１】
更に、第二布材２の端縁２ａは、ひだ状に形成され泡立ちが良くなるようにしてある。端縁２ａの一方側のみをひだ状に形成しても良いし、両方をひだ状に形成しても良い。また、図５（ａ）に示すように、第二布材２は、一方側の端縁２ａ近傍のみを第一布材１に縫い付けても良い。これにより、他方側の端縁２ａがひらひらと自在に動くことが可能となり、泡立ちや肌への接触感を特別なものとする。図５（ｂ）に示すように、第二布材２の幅方向に一定間隔で縫い付けても良い。このようにすれば、縫い付け部分２ｂの間がループ状に形成されるので、泡立ちや接触感を特別なものとできる。
【００１２】
第二布材２は、第一布材１より少し硬めで且つ目が粗いものとするのが好ましい。この第二布材２には、ナイロンタオル地のような素材が好適である。また、第二布材２は、波状や蛇行して設ける場合でも、第一布材１の幅方向の略全てに設けるのが好ましい。これにより、タスキ形タオル１００を回転させて使用する際、肌に対して広く接触して効果的に洗浄できるようになる。
【００１３】
第一布材１は、二枚以上の布材１ａ，１ｂを重ねてその端部１ｃで縫い付け、袋状で内部に空間を形成できるようにするのが好ましい。これにより、第一布材１の強度を向上でき且つ空気を含みやすくして泡立ちを良くできる。
【００１４】
更に、第一布材１の裏面の一部に手を挿入可能な大きさのポケット４を設ける。このポケット４の開口５は第一布材１の長手方向に開いている。このポケット４は、第一布材１の複数個所に設けても良い。ポケット４を設けることで、より空気が入りやすく泡立ちが良くなる。
【００１５】
図６は、このタスキ形タオルの使用方法を示す説明図である。ユーザＵは、タスキ形タオル１００にお湯を含ませると共に洗剤を加え、手で揉んで空気を入れながら全体を泡立てる。そして、ユーザＵの体に対してタスキ形タオル１００をタスキ掛けし、体の前面に位置する部分をもって引き、第二布材２が肌面にあたるようにタスキ形タオル１００を背中に密着させる。その状態で下方に引き全体を回転させる。これにより、背中に第二布材２が擦れるように接触して汚れを除去する。
【００１６】
また、ユーザＵは、タスキ形タオル１００を首に掛けて上記同様に回転させることで首筋や首裏を洗うことができる。第二布材２は波状等に設けられているので、第二布材２の比較的硬い性質から肌の汚れを強く取ると共に適度な刺激を与える。また、第一布材１の柔軟な面が肌に優しく当たることで汚れを泡で包み込む。体の一点に着目すると、第二布材２は全体を回転させることで第一布材１の幅方向の略全ての範囲で肌に接することになる。一方で、常に第二布材２が接触するわけではないので、肌への負担は少ない。
【００１７】
また、第二布材２を第一布材１の全体に設ける場合に比べて、タスキ形タオル１００の全体重量を軽くできる。
【００１８】
次に、ユーザＵは、図７に示すように、ポケット４に手を平にして挿入して第二布材２を設けた表面を肌に押し付け、適度に動かすことで任意の部位を洗うことができる。また、ポケット４に手を入れた状態でタスキ形タオル１００全体を引いて回転させることもできる。
【００１９】
次に、図８に示すように、タスキ形タオル１００の全体を表裏でひっくり返す。この状態でタスキ掛け等して使用すると、肌に対して第一布材１のみが接触することになる。この場合、全体的にソフトな洗い心地が得られる。
【００２０】
以上、この考案のタスキ形タオル１００によれば、第一布材１と第二布材２とを選択的に用いることができるので、その日の気分や肌状態に合わせて適切な方法で体を洗うことができる。更に、第二布材２を一部に設けることで、第二布材２による洗浄効果をもたせつつ、第二布材２の材料節約や肌触りを向上できる。
【００２１】
（実施の形態２）
図９は、この考案の実施の形態２に係るタスキ形タオルを示す一部平面図である。このタスキ形タオル２００は、第二布材２０が帯状ではなく、複数の位置に部分的に設けられたものである。当該第二布材２０は、デザイン的な要素を含み、同図の例では花形状となっている。この第二布材２０の一部が第一布材１に縫い付けられ、第二布材２０の端縁２０ａは自在に動くようになる。この第二布材２０の作用効果は、上記第二布材２０と同じである。なお、第二布材２０は、回転させた際、第一布材１の幅方向で均一に位置するようにするのが好ましい。このようにすれば、タスキ形タオル２００をタスキ掛け等して回転した場合に第二布材２０が体に対して均一に接触するようになる。その他の構成は実施の形態１のタスキ形タオル１００と同じであるから、同一構成要素には同一符号を付して説明を省略する。
【符号の説明】
【００２２】
１００  タスキ形タオル
１  第一布材
２  第二布材
３  縫い付け部
４  ポケット
【図１】
0003193419.tif 000003
【図２】
0003193419.tif 000004
【図３】
0003193419.tif 000005
【図４】
0003193419.tif 000006
【図５】
0003193419.tif 000007
【図６】
0003193419.tif 000008
【図７】
0003193419.tif 000009
【図８】
0003193419.tif 000010
【図９】
0003193419.tif 000011